(57)【特許請求の範囲】
【請求項１】
符号化器で変調されたユーザデータと特定の間隔で発生させた既知のトレーニングパターンにより構成されたデータに対し所定の処理を施し再生信号を出力する再生回路と、
第１の等化誤差信号に基づき前記再生回路から出力される前記再生信号を所定の信号波形に自動等化し出力すると共に、第１の制御信号に基づき、前記トレーニングパターンに所定の重み付けを行った第１の基準データと前記自動等化出力との差である第２の等化誤差信号を出力する自動波形等化器と、
前記自動波形等化器からの自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記第１の制御信号に基づき、前記トレーニングパターンが再生されている期間は前記第２の等化誤差信号を選択し、前記ユーザデータが再生されている期間は前記第３の等化誤差信号を選択して、前記第１の等化誤差信号として前記自動波形等化器に出力するセレクタとを具備したことを特徴とする情報再生装置。
【請求項２】
符号化器で変調されたユーザデータと特定の間隔で発生させた既知のトレーニングパターンにより構成されたデータに対し所定の処理を施し再生信号を出力する再生回路と、
第１の等化誤差信号に基づき前記再生回路から出力される前記再生信号を所定の信号波形に自動等化し出力すると共に、第１の制御信号が、前記トレーニングパターンが再生されている期間を示すアクティブ状態にある場合は、前記トレーニングパターンに所定の重み付けを行った第１の基準データと前記自動等化出力との差である第２の等化誤差信号を、前記第１の制御信号が、前記ユーザデータが再生されている期間を示すインアクティブ状態にある場合は、ゼロデータを、切り替えて出力する自動波形等化器と、
前記自動波形等化器からの自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記検出データから同期信号を検出できた場合は第２の制御信号をアクティブ状態にして出力し、前記検出データから同期信号を検出できない場合は前記第２の制御信号をインアクティブ状態にして出力する同期信号検出器と、
前記第１の制御信号がアクティブ状態にある場合は、前記第２の等化誤差信号を選択し、前記第１の制御信号と前記第２の制御信号が共にインアクティブ状態にある場合は、前記ゼロデータを選択し、前記第１の制御信号がインアクティブ状態にあり且つ前記第２の制御信号がアクティブ状態にある場合は、前記第３の等化誤差信号を選択して、前記第１の等化誤差信号として前記自動波形等化器に出力するセレクタとを具備したことを特徴とする情報再生装置。
【請求項３】
符号化器で変調されたユーザデータと特定の間隔で発生させた既知のトレーニングパターンにより構成されたデータに対し所定の処理を施し再生信号を出力する再生回路と、
第１の等化誤差信号に基づき前記再生回路から出力される前記再生信号を所定の信号波形に自動等化し出力すると共に、第１の制御信号が、前記トレーニングパターンが再生されている期間を示すアクティブ状態にある場合は、前記トレーニングパターンに所定の重み付けを行った第１の基準データと前記自動等化出力との差である第２の等化誤差信号を、前記第１の制御信号が、前記ユーザデータが再生されている期間を示すインアクティブ状態にある場合は、ゼロデータを、切り替えて出力する自動波形等化器と、
前記自動波形等化器からの自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記検出データから同期信号を検出できた場合は第２の制御信号をアクティブ状態にして出力し、前記検出データから同期信号を検出できない場合は前記第２の制御信号をインアクティブ状態にして出力する同期信号検出器と、
前記第２の制御信号におけるアクティブ状態／インアクティブ状態の出現頻度を観測し、前記第２の制御信号に対し所定のヒステリシス特性を与えることで、アクティブ状態／インアクティブ状態を制御した第３の制御信号を出力するヒステリシス回路と、
前記第１の制御信号がアクティブ状態にある場合は、前記第２の等化誤差信号を選択し、前記第１の制御信号と前記第３の制御信号が共にインアクティブ状態にある場合は、前記ゼロデータを選択し、前記第１の制御信号がインアクティブ状態にあり且つ前記第３の制御信号がアクティブ状態にある場合は、前記第３の等化誤差信号を選択して、前記第１の等化誤差信号として前記自動波形等化器に出力するセレクタとを具備したことを特徴とする情報再生装置。
【請求項４】
符号化器で変調されたユーザデータと特定の間隔で発生させた既知のトレーニングパターンにより構成されたデータに対し所定の処理を施し再生信号を出力する再生回路と、
第１の等化誤差信号に基づき前記再生回路から出力される前記再生信号を所定の信号波形に自動等化し出力すると共に、第１の制御信号が、前記トレーニングパターンが再生されている期間を示すアクティブ状態にある場合は、前記トレーニングパターンに所定の重み付けを行った第１の基準データと前記自動等化出力との差である第２の等化誤差信号を、前記第１の制御信号が、前記ユーザデータが再生されている期間を示すインアクティブ状態にある場合は、ゼロデータを、切り替えて出力する自動波形等化器と、
前記自動波形等化器の自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記検出データに対して符号化の逆の処理である復調処理を行い復号結果のデータ列を出力する復号器と、
前記データ列に含まれる誤り率を演算し、演算した誤り率が一定値以上であると判断した場合は前記第２の制御信号をインアクティブ状態にして出力し、前記誤り率が一定値未満であると判断した場合は前記第２の制御信号をアクティブ状態にして出力する誤り率演算部と、
前記第１の制御信号がアクティブ状態にある場合は、前記第２の等化誤差信号を選択し、前記第１の制御信号と前記第２の制御信号が共にインアクティブ状態にある場合は、前記ゼロデータを選択し、前記第１の制御信号がインアクティブ状態にあり且つ前記第２の制御信号がアクティブ状態にある場合は、前記第３の等化誤差信号を選択して、前記第１の等化誤差信号として前記自動波形等化器に出力するセレクタとを具備したことを特徴とする情報再生装置。
【請求項５】
符号化器で変調されたユーザデータと特定の間隔で発生させた既知のトレーニングパターンにより構成されたデータに対し所定の処理を施し再生信号を出力する再生回路と、
第１の等化誤差信号に基づき前記再生回路から出力される前記再生信号を所定の信号波形に自動等化し出力すると共に、第１の制御信号が、前記トレーニングパターンが再生されている期間を示すアクティブ状態にある場合は、前記トレーニングパターンに所定の重み付けを行った第１の基準データと前記自動等化出力との差である第２の等化誤差信号を、前記第１の制御信号が、前記ユーザデータが再生されている期間を示すインアクティブ状態にある場合は、ゼロデータを、切り替えて出力する自動波形等化器と、
前記自動波形等化器の自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記検出データに対して符号化の逆の処理である復調処理を行い復号結果のデータ列を出力する復号器と、
前記データ列に含まれる誤り率を演算し、演算した誤り率が一定値以上であると判断した場合は前記第２の制御信号をインアクティブ状態にして出力し、前記誤り率が一定値未満であると判断した場合は前記第２の制御信号をアクティブ状態にして出力する誤り率演算部と、
前記第２の制御信号におけるアクティブ状態／インアクティブ状態の出現頻度を観測し、前記第２の制御信号に対し所定のヒステリシス特性を与えることで、アクティブ状態／インアクティブ状態を制御した第３の制御信号を出力するヒステリシス回路と、
前記第１の制御信号がアクティブ状態にある場合は、前記第２の等化誤差信号を選択し、前記第１の制御信号と前記第３の制御信号が共にインアクティブ状態にある場合は、前記ゼロデータを選択し、前記第１の制御信号がインアクティブ状態にあり且つ前記第３の制御信号がアクティブ状態にある場合は、前記第３の等化誤差信号を選択して、前記第１の等化誤差信号として前記自動波形等化器に出力するセレクタとを具備したことを特徴とする情報再生装置。
【発明の詳細な説明】
【０００１】
【発明の属する技術分野】
本発明は、一つの情報を複数の標本値に変換する狭帯域化技術であるパーシャルレスポンスを自動的に行う自動波形等化と、自動波形等化された出力信号振幅の時間的な推移を状態遷移図にあてはめて尤も確からしいデータを検出する最尤検出器とを組み合わしたパーシャルレスポンス最尤復号（ＰＲＭＬ）技術に係わり、その技術を用いた情報再生装置に関する。
【０００２】
【従来の技術】
従来、かかる情報再生装置として、特開平８−２５５３０５号公報に記載されたものが知られている。図１５は、従来の情報再生装置の構成を示すブロック図である。
【０００３】
図１５において、自動波形等化器１５０１は、等化量の自動補正機能を有し、記録媒体からの再生信号を所定の信号波形に自動等化し、最尤検出器１５０２は、自動波形等化器１５０１の出力信号から最も尤度の高い信号系列を選択し、制御部１５０３は、自動波形等化器１５０１に対し自動補正機能をアクティブ状態、或いはインアクティブ状態に制御するための制御信号を発生させる制御を行う。制御部１５０３には、最尤検出器１５０２の出力信号から記録媒体上のトレーニングパターンの先頭パターンを検出するパターン検出部（図示せず）と、パターン検出部の検出信号に基づいてカウントが開始され入力したクロックをカウントするカウンタ（図示せず）と、パターン検出部の検出信号及びカウンタのカウンタ値を基に制御信号を発生させる制御信号発生部（図示せず）を備えている。
【０００４】
以上のように構成された情報再生装置について、以下、その動作について説明する。
【０００５】
制御部１５０３は、パターン検出部が最尤検出器１５０２の出力信号から記録媒体上のトレーニングパターンの先頭パターンを検出した場合、制御信号発生部が制御信号をアクティブ状態にすると共に、カウンタのカウントを開始させ、カウンタのカウンタ値が予め設定した値に達した際、制御信号発生部が制御信号をインアクティブ状態にする制御機能を備えており、自動波形等化器１５０１の自動補正機能をトレーニングパターン内だけで動作させ、自動等化器の等化量を最適値に設定する。
【０００６】
【発明が解決しようとする課題】
従来の情報再生装置では、記録媒体上のトレーニングパターンの先頭パターンを検出した時のみ自動等化処理を動作させる、つまり、自動波形等化器の自動補正機能をトレーニングパターン内だけで動作させ、自動波形等化器の等化量を最適値に設定している。そのため、ユーザデータに対するトレーニングパターンの割合が少なくなればなるほど、自動等化器の等化量を最適値に収束させるのに時間を要することになる。
【０００７】
更に、トレーニングパターン間つまりユーザデータ部分の再生条件変化に追従できず、トレーニングパターンだけで求めた自動波形等化器の等化量の最適値はユーザデータ内では必ずしも最適とはならない。よって、アイパターンが開いた所望の波形等化を実現することが困難となり、自動的に波形等化された出力信号振幅の時間的な推移の情報をもとにして尤も確からしいデータを検出する最尤検出器が正しい検出データを出力することができず、エラーレートが劣化する要因となっていた。
【０００８】
本発明は、上記問題を解決するものであり、その目的は、トレーニングパターンとユーザデータの両方に対して常に最適な自動等化量を決定して、アイパターンが良好に開いた波形等化を行い、エラーレートの劣化の改善を図った情報再生装置を提供することにある。
【０００９】
【課題を解決するための手段】
前記の目的を達成するため、本発明に係る第１情報再生装置は、符号化器で変調されたユーザデータと特定の間隔で発生させた既知のトレーニングパターンにより構成されたデータに対し所定の処理を施し再生信号を出力する再生回路と、第１の等化誤差信号に基づき前記再生回路から出力される前記再生信号を所定の信号波形に自動等化し出力すると共に、第１の制御信号に基づき、前記トレーニングパターンに所定の重み付けを行った第１の基準データと前記自動等化出力との差である第２の等化誤差信号を出力する自動波形等化器と、
前記自動波形等化器からの自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記第１の制御信号に基づき、前記トレーニングパターンが再生されている期間は前記第２の等化誤差信号を選択し、前記ユーザデータが再生されている期間は前記第３の等化誤差信号を選択して、前記第１の等化誤差信号として出力するセレクタとを具備したことを特徴とする。
【００１０】
前記の目的を達成するため、本発明に係る第２情報再生装置は、符号化器で変調されたユーザデータと特定の間隔で発生させた既知のトレーニングパターンにより構成されたデータに対し所定の処理を施し再生信号を出力する再生回路と、第１の等化誤差信号に基づき前記再生回路から出力される前記再生信号を所定の信号波形に自動等化し出力すると共に、第１の制御信号が、前記トレーニングパターンが再生されている期間を示すアクティブ状態にある場合は、前記トレーニングパターンに所定の重み付けを行った第１の基準データと前記自動等化出力との差である第２の等化誤差信号を、前記第１の制御信号が、前記ユーザデータが再生されている期間を示すインアクティブ状態にある場合は、ゼロデータを、切り替えて出力する自動波形等化器と、
前記自動波形等化器からの自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記検出データから同期信号を検出できた場合は第２の制御信号をアクティブ状態にして出力し、前記検出データから同期信号を検出できない場合は前記第２の制御信号をインアクティブ状態にして出力する同期信号検出器と、
前記第１の制御信号がアクティブ状態にある場合は、前記第２の等化誤差信号を選択し、前記第１の制御信号と前記第２の制御信号が共にインアクティブ状態にある場合は、前記ゼロデータを選択し、前記第１の制御信号がインアクティブ状態にあり且つ前記第２の制御信号がアクティブ状態にある場合は、前記第３の等化誤差信号を選択して、前記第１の等化誤差信号として前記自動波形等化器に出力するセレクタとを具備したことを特徴とする情報再生装置。
【００１１】
前記の目的を達成するため、本発明に係る第３情報再生装置は、符号化器で変調されたユーザデータと特定の間隔で発生させた既知のトレーニングパターンにより構成されたデータに対し所定の処理を施し再生信号を出力する再生回路と、
第１の等化誤差信号に基づき前記再生回路から出力される前記再生信号を所定の信号波形に自動等化し出力すると共に、第１の制御信号が、前記トレーニングパターンが再生されている期間を示すアクティブ状態にある場合は、前記トレーニングパターンに所定の重み付けを行った第１の基準データと前記自動等化出力との差である第２の等化誤差信号を、前記第１の制御信号が、前記ユーザデータが再生されている期間を示すインアクティブ状態にある場合は、ゼロデータを、切り替えて出力する自動波形等化器と、
前記自動波形等化器からの自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記検出データから同期信号を検出できた場合は第２の制御信号をアクティブ状態にして出力し、前記検出データから同期信号を検出できない場合は前記第２の制御信号をインアクティブ状態にして出力する同期信号検出器と、
前記第２の制御信号におけるアクティブ状態／インアクティブ状態の出現頻度を観測し、前記第２の制御信号に対し所定のヒステリシス特性を与えることで、アクティブ状態／インアクティブ状態を制御した第３の制御信号を出力するヒステリシス回路と、
前記第１の制御信号がアクティブ状態にある場合は、前記第２の等化誤差信号を選択し、前記第１の制御信号と前記第３の制御信号が共にインアクティブ状態にある場合は、前記ゼロデータを選択し、前記第１の制御信号がインアクティブ状態にあり且つ前記第３の制御信号がアクティブ状態にある場合は、前記第３の等化誤差信号を選択して、前記第１の等化誤差信号として前記自動波形等化器に出力するセレクタとを具備したことを特徴とする。
【００１２】
前記の目的を達成するため、本発明に係る第４情報再生装置は、符号化器で変調されたユーザデータと特定の間隔で発生させた既知のトレーニングパターンにより構成されたデータに対し所定の処理を施し再生信号を出力する再生回路と、
第１の等化誤差信号に基づき前記再生回路から出力される前記再生信号を所定の信号波形に自動等化し出力すると共に、第１の制御信号が、前記トレーニングパターンが再生されている期間を示すアクティブ状態にある場合は、前記トレーニングパターンに所定の重み付けを行った第１の基準データと前記自動等化出力との差である第２の等化誤差信号を、前記第１の制御信号が、前記ユーザデータが再生されている期間を示すインアクティブ状態にある場合は、ゼロデータを、切り替えて出力する自動波形等化器と、
前記自動波形等化器からの自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記検出データに対して符号化の逆の処理である復調処理を行い復号結果のデータ列を出力する復号器と、
前記データ列に含まれる誤り率を演算し、演算した誤り率が一定値以上であると判断した場合は前記第２の制御信号をインアクティブ状態にして出力し、前記誤り率が一定値未満であると判断した場合は前記第２の制御信号をアクティブ状態にして出力する誤り率演算部と、
前記第１の制御信号がアクティブ状態にある場合は、前記第２の等化誤差信号を選択し、前記第１の制御信号と前記第２の制御信号が共にインアクティブ状態にある場合は、前記ゼロデータを選択し、前記第１の制御信号がインアクティブ状態にあり且つ前記第２の制御信号がアクティブ状態にある場合は、前記第３の等化誤差信号を選択して、前記第１の等化誤差信号として前記自動波形等化器に出力するセレクタとを具備したことを特徴とする情報再生装置。
【００１３】
前記の目的を達成するため、本発明に係る第５情報再生装置は、符号化器で変調されたユーザデータと特定の間隔で発生させた既知のトレーニングパターンにより構成されたデータに対し所定の処理を施し再生信号を出力する再生回路と、
第１の等化誤差信号に基づき前記再生回路から出力される前記再生信号を所定の信号波形に自動等化し出力すると共に、第１の制御信号が、前記トレーニングパターンが再生されている期間を示すアクティブ状態にある場合は、前記トレーニングパターンに所定の重み付けを行った第１の基準データと前記自動等化出力との差である第２の等化誤差信号を、前記第１の制御信号が、前記ユーザデータが再生されている期間を示すインアクティブ状態にある場合は、ゼロデータを、切り替えて出力する自動波形等化器と、
前記自動波形等化器からの自動等化出力振幅の時間的な推移を用いて、検出データを出力すると共に、前記検出データに対し所定の重み付けを行った第２の基準データと前記自動波形等化器の自動等化出力を所定時間遅延した信号との差である第３の等化誤差信号を出力する最尤検出器と、
前記検出データに対して符号化の逆の処理である復調処理を行い復号結果のデータ列を出力する復号器と、
前記データ列に含まれる誤り率を演算し、演算した誤り率が一定値以上であると判断した場合は前記第２の制御信号をインアクティブ状態にして出力し、前記誤り率が一定値未満であると判断した場合は前記第２の制御信号をアクティブ状態にして出力する誤り率演算部と、
前記第２の制御信号におけるアクティブ状態／インアクティブ状態の出現頻度を観測し、前記第２の制御信号に対し所定のヒステリシス特性を与えることで、アクティブ状態／インアクティブ状態を制御した第３の制御信号を出力するヒステリシス回路と、
前記第１の制御信号がアクティブ状態にある場合は、前記第２の等化誤差信号を選択し、前記第１の制御信号と前記第３の制御信号が共にインアクティブ状態にある場合は、前記ゼロデータを選択し、前記第１の制御信号がインアクティブ状態にあり且つ前記第３の制御信号がアクティブ状態にある場合は、前記第３の等化誤差信号を選択して、前記第１の等化誤差信号として前記自動波形等化器に出力するセレクタとを具備したことを特徴とする。
【００１４】
上記の構成によれば、トレーニングパターン内だけの自動波形等化ではなく、ユーザデータ内でも自動波形等化処理を実現することができ、常に最適な自動等化量を決定し、アイパターンが良好に開いた波形等化を実現して、エラーレート劣化の改善を図った情報再生装置を提供することができる。
【００１５】
また、トレーニングパターン内とユーザデータ内の自動波形等化処理を実現すると共に、同期信号検出器の検出結果や誤り率演算部の誤り結果などを用いて自動波形等化処理を行うことで、再生状態の変化に応じて常に最適な自動等化量を決定し、アイパターンが良好に開いた波形等化を実現でき、エラーレート劣化の改善を図った情報再生装置を提供することができる。
【００１６】
さらに、トレーニングパターン内とユーザデータ内の自動波形等化処理を実現すると共に、同期信号検出器の検出結果や誤り率演算部の誤り結果などの検出信号に対しヒステリシス特性を持たせた制御信号に基づく自動波形等化処理を行うことで、常に最適な自動等化量を決定し、アイパターンが良好に開いた波形等化を実現して、再生状態の変化に緩やかに追従し安定性と収束性を確保することで、エラーレート劣化の更なる改善を図った情報再生装置を提供することができる。
【００１７】
【発明の実施の形態】
以下、本発明の実施の形態について、図１から図１４を用いて説明する。
【００１８】
（第１実施形態）
図１は、本発明の第１実施形態による情報再生装置の一構成例を示すブロック図である。
【００１９】
図１において、再生回路１０１は、符号化器で変調されたユーザデータと特定の間隔で発生させた既知のトレーニングパターンにより構成されたデータに対して所定の処理を施し再生信号を出力する。自動波形等化器１０２は、等化誤差信号ＥＥ１（第１の等化誤差信号）に基づき、再生回路１０１から出力される再生信号を所定の信号波形に自動等化し出力すると共に、制御信号ＣＳ１（第１の制御信号）に基づき等化誤差信号ＥＥ２（第２の等化誤差信号）を出力する。
【００２０】
図２に、自動波形等化器１０２の構成の一例を示す。
【００２１】
図２において、再生回路１０１から自動波形等化器１０２に入力された再生信号は、等化誤差信号ＥＥ１を入力とする更新係数演算回路２０２により演算された係数を用いて、トランスバーサルフィルタ２０１で畳み込み演算され出力される。制御信号ＣＳ１はトレーニングパターンが再生されている期間を示す信号であり、第１の基準データ作成回路２０３は、制御信号ＣＳ１を用いて既知のトレーニングパターンに所定の重み付けを行った第１の基準データＲＤ１を出力する。第１の等化誤差算出回路２０４は、制御信号ＣＳ１の動作に基づきトランスバーサルフィルタ２０１の出力と第１の基準データＲＤ１の差を算出し等化誤差信号ＥＥ２として出力する。
【００２２】
再び図１に戻って、最尤検出器１０３は、自動波形等化器１０２の自動等化出力振幅の時間的な推移を用いて、検出データを出力すると共に、等化誤差信号ＥＥ３（第３の等化誤差信号）を出力する。
【００２３】
図３に、最尤検出器１０３の構成の一例を示す。
【００２４】
図３において、自動波形等化器１０２の出力はビタビ検出器３０１に入力されると同時に、遅延素子群３０２に入力される。ビタビ検出器３０１は、自動波形等化器１０２の自動等化出力振幅の時間的な推移を用いて検出データを出力する。第２の基準データ作成回路３０３は、ビタビ検出器３０１が検出した検出データに対し所定の重み付けを行った第２の基準データＲＤ２を出力する。遅延素子群３０２は、検出データを出力するまでにビタビ検出器３０１が処理に要する時間遅延と同等の遅延を入力データに対して行う。第２の等化誤差算出回路３０４は、遅延素子群３０２の出力と第２の基準データＲＤ２の差を算出し、等化誤差信号ＥＥ３として出力する。
【００２５】
再び図１に戻って、セレクタ１０４は、等化誤差信号ＥＥ２と等化誤差信号ＥＥ３を受け、制御信号ＣＳ１の状態に基づいて、等化誤差信号ＥＥ２または等化誤差信号ＥＥ３を選択して、等化誤差信号ＥＥ１として自動波形等化器１０２に出力する。
【００２６】
次に、以上のように構成された情報再生装置の動作について述べる。
【００２７】
再生回路１０１から出力される再生信号は、伝送系での帯域制限をうけて所定の矩形波が再生されることは殆どない。伝送系の帯域制限による周波数特性の変化は通信系、テープメディア、光ディスクメディア、ハードディスク等の違いにより様々な特性を取りうる。よって、第１及び第２の基準データ作成回路２０３、３０３で行う所定の重み付けは、その伝送系の周波数特性に対し最も近い周波数特性を表す様な所定の重み付けが良いとされている。よって、第１の基準データ作成回路２０３は、第１の基準データＲＤ１を作成するにあたり、既知のトレーニングパターンに対して伝送系の周波数特性に最も近い周波数特性を表す様な所定の重み付けを行って出力する。また、第２の基準データ作成回路３０３は、第２の基準データＲＤ２を作成するにあたり、ビタビ検出器３０１が検出した検出データに対し伝送系の周波数特性に最も近い周波数特性を表す様な所定の重み付けを行って出力する。
【００２８】
図４は、セレクタ１０４の動作を示すタイミングチャートである。
【００２９】
図４に示すように、セレクタ１０４は、再生信号（図４（ａ））のトレーニングパターン（ＴＰ）を再生している区間で制御信号ＣＳ１がアクティブ状態になり、等化誤差信号ＥＥ２を選択し、ユーザデータ（Ｕ）を再生している区間で制御信号ＣＳ１がインアクティブ状態となり、等化誤差信号ＥＥ３を選択し、等化誤差信号ＥＥ１として出力する。このように、トレーニングパターンとユーザデータから求まった等化誤差信号ＥＥ２とＥＥ３をセレクタ１０４により選択し出力される等化誤差信号ＥＥ１を用いて自動波形等化処理を行う。
【００３０】
このように、本実施形態によれば、等化誤差信号ＥＥ１は、制御信号ＣＳ１がアクティブの時は等化誤差信号ＥＥ２となり、制御信号ＣＳ１がインアクティブの時は等化誤差信号ＥＥ３となる。このことにより、トレーニングパターン内だけの自動波形等化ではなく、ユーザデータ内でも自動波形等化を実現でき、常に最適な自動等化量を決定して、アイパターンが良好に開いた波形等化を実現でき、エラーレートの劣化の改善を図ることが可能になる。
【００３１】
（第２実施形態）
図５は、本発明の第２実施形態による情報再生装置の一構成例を示すブロック図である。なお、図５において、図１における構成要素と同一の要素には同一符号を付し、その説明は省略する。
【００３２】
図５において、自動波形等化器５０１は、等化誤差信号ＥＥ１（第１の等化誤差信号）に基づき、再生回路１０１から出力される再生信号を所定の信号波形に自動等化し出力すると共に、制御信号ＣＳ１（第１の制御信号）に基づき、等化誤差信号ＥＥ２（第２の等化誤差信号）またはゼロデータを出力する。
【００３３】
図６に、自動波形等化器５０１の構成の一例を示す。なお、図６に示す自動波形等化器５０１では、第１実施形態の説明において図２に示した第１の等化誤差算出回路２０４とは異なる構成の第１の等化誤差算出回路６０４を用いる。
【００３４】
図６において、再生回路１０１の出力は、等化誤差信号ＥＥ１を入力とする更新係数演算回路２０２により演算された係数を用いてトランスバーサルフィルタ２０１で畳み込み演算され出力される。制御信号ＣＳ１はトレーニングパターンが再生されている期間を示す信号であり、第１の基準データ作成回路２０３は、制御信号ＣＳ１を用いて既知のトレーニングパターンに所定の重み付けを行った第１の基準データＲＤ１を出力する。第１の等化誤差算出回路６０４は、制御信号ＣＳ１の動作に基づき、制御信号ＣＳ１がアクティブな時はトランスバーサルフィルタ２０１の出力と第１の基準データＲＤ１との差を算出し等化誤差信号ＥＥ２として出力し、制御信号ＣＳ１がインアクティブな時はゼロデータを出力する。
【００３５】
図７に、再生信号（図７（ａ））と、制御信号ＣＳ１（図７（ｂ））、自動波形等化器５０１からセレクタ５０３に供給される等化誤差信号ＥＥ２またはゼロデータ（図７（ｃ））、最尤検出器１０３からセレクタ５０３に供給される等化誤差信号ＥＥ３（図７（ｄ））との関係を示す。
【００３６】
再び図５に戻って、同期信号検出器５０２は、最尤検出器１０３から出力される検出データの中から、あらかじめ所定の間隔で検出データ内に埋め込まれている特定パターンを検出する機能を有し、所定の間隔で特定パターンを検出できた場合は検出結果ＣＳ２（第２の制御信号）をアクティブ状態にして出力し、本来存在するべき所定間隔で特定パターンを検出できない場合は検出結果ＣＳ２をインアクティブ状態にして出力する。
【００３７】
セレクタ５０３は、自動波形等化器５０１からの等化誤差信号ＥＥ２（第２の等化誤差信号）またはゼロデータと、最尤検出器１０３からの等化誤差信号ＥＥ３（第３の等化誤差信号）とを受け、制御信号ＣＳ１（第１の制御信号）と同期信号検出器５０２からの検出結果ＣＳ２（第２の制御信号）に基づいて、等化誤差信号ＥＥ２とゼロデータ、または等化誤差信号ＥＥ２と等化誤差信号ＥＥ３を等化誤差信号ＥＥ１として自動波形等化器５０１に出力する。
【００３８】
次に、以上のように構成された情報再生装置の動作について述べる。
【００３９】
まず、再生開始直後など、最尤検出器１０３の検出データに誤りが多いときは、同期信号検出器５０２は、同期信号の検出ができず検出結果ＣＳ２はインアクティブ状態になる。この状態において、セレクタ５０３は、制御信号ＣＳ１の動作に基づき、トレーニングパターン期間に相当する制御信号ＣＳ１がアクティブ状態の期間は、既知のトレーニングパターンを用いて算出した等化誤差信号ＥＥ２を、トレーニングパターン以外のユーザデータ期間に相当する制御信号ＣＳ１がインアクティブ状態の期間は、ゼロデータを等化誤差信号ＥＥ１として自動波形等化器５０１に出力する。
【００４０】
ゼロデータを用いた自動波形等化により、実質的には自動波形等化器５０１内の更新係数演算回路２０２が動作停止状態となるので、トレーニングパターン以外のユーザデータ期間では、自動波形等化器５０１は固定係数の波形等化処理を行う。
【００４１】
次に、トレーニングパターンだけ用いた自動波形等化で自動波形等化器５０１がある程度収束すると、最尤検出器１０３の検出データの誤りも少なくなり、同期信号検出器５０２の検出結果ＣＳ２がアクティブ状態になる。
【００４２】
この結果、セレクタ５０３は、制御信号ＣＳ１がアクティブの期間は等化誤差信号ＥＥ２を、制御信号ＣＳ１がインアクティブの期間は等化誤差信号ＥＥ３を、等化誤差信号ＥＥ１として自動波形等化器５０１に出力する。
【００４３】
このように、同期信号検出器５０２による検出結果ＣＳ２に応じて、等化誤差信号ＥＥ２とゼロデータ、または等化誤差信号ＥＥ２と等化誤差信号ＥＥ３を切り替えて用いた波形等化処理を行うことで、再生処理状態の安定性が増す。
【００４４】
よって、本実施形態によれば、トレーニングパターン内だけの自動波形等化ではなく、ユーザデータ内でも自動波形等化を実現すると共に、同期信号検出器５０２による検出結果ＣＳ２や制御信号ＣＳ１を用いて、再生状態の変化に応じて自動等化処理を切り替えて行うことで、常に最適な自動等化量を決定し、アイパターンが良好に開いた波形等化を実現でき、エラーレートの劣化の改善を図ることができる。
【００４５】
（第３実施形態）
図８は、本発明の第３実施形態による情報再生装置の一構成例を示すブロック図。なお、図８において、図１および図５に示した構成要素と同一の要素には同一符号を付し、その説明は省略する。
【００４６】
図８において、ヒステリシス回路８０１は、同期信号検出器５０２の検出結果ＣＳ２（第２の制御信号）におけるアクティブ状態／インアクティブ状態の出現頻度を観測し、検出結果ＣＳ２に対して所定のヒステリシス特性を与え、制御信号ＣＳ３（第３の制御信号）として出力する。
【００４７】
セレクタ５０３は、自動波形等化器５０１からの等化誤差信号ＥＥ２（第２の等化誤差信号）またはゼロデータと、最尤検出器１０３からの等化誤差信号ＥＥ３（第３の等化誤差信号）とを受け、制御信号ＣＳ１（第１の制御信号）と制御信号ＣＳ３（第３の制御信号）に基づいて、等化誤差信号ＥＥ２とゼロデータ、または等化誤差信号ＥＥ２と等化誤差信号ＥＥ３を等化誤差信号ＥＥ１（第１の等化誤差信号）として自動波形等化器５０１に出力する。
【００４８】
次に、以上のように構成された情報再生装置の動作について、図９および図１０を参照して述べる。
【００４９】
図９に、ヒステリシス回路５０２の動作の一例を示す状態遷移図を示す。
【００５０】
図９において、同期信号検出器５０２は、同期信号を検出した結果に基づき、所定の間隔で検出結果ＣＳ２のアクティブ状態／インアクティブ状態を観測し、制御信号ＣＳ３を生成する。例えば、再生動作開始直後などの再生信号の中に本来あるはずの同期信号が検出できない場合、制御信号ＣＳ３はインアクティブ状態になる（状態１）。
【００５１】
波形等化処理やビタビ検出処理がある程度安定してくると、連続して同期信号が検出されるようになり、Ｍ回連続して検出できた場合、制御信号ＣＳ３をアクティブ状態にする（状態２）。
【００５２】
連続して同期信号が検出できている場合は、制御信号ＣＳ３をアクティブ状態のままにしておく（状態３）。
【００５３】
再生状態が不安定になるなどして同期信号の検出ができなくなり、Ｎ回連続して同期信号を検出できない場合、制御信号ＣＳ３をインアクティブ状態にする（状態４）。しかし、Ｎ回以下の間隔で同期信号が検出できた場合は、制御信号ＣＳ３をアクティブの状態のままにしておく（状態３）。
【００５４】
図１０に、本実施形態における各部信号のタイミングチャートを示す。
【００５５】
図１０において、まず、再生信号（図１０（ａ））の再生開始直後など、最尤検出器１０３の検出データに誤りが多いときは、同期信号検出器５０２は、同期信号の検出ができず検出結果ＣＳ２（図１０（ｅ））はインアクティブ状態になり、制御信号ＣＳ３（図１０（ｆ））がインアクティブな状態１になる。このような状態１の時は、自動波形等化器５０１は、制御信号ＣＳ１（図１０（ｂ））の動作に基づき、トレーニングパターンの期間は、既知のトレーニングパターンを用いて算出した等化誤差信号ＥＥ２を等化誤差信号ＥＥ１として自動波形等化を行い、トレーニングパターン以外のユーザデータ期間は、ゼロデータを等化誤差信号ＥＥ１として自動波形等化を行う。（図１０（ｃ）に自動波形等化器５０１からセレクタ５０３への出力信号を、図１０（ｇ）に等化誤差信号ＥＥ１を示す。）
状態１のトレーニングパターンだけ用いた自動波形等化で自動波形等化器５０１がある程度収束すると、最尤検出器１０３の検出データの誤りも少なくなり、同期信号検出器５０２の検出結果ＣＳ２がアクティブになる。
【００５６】
図１０には図９の状態２でＭ＝３の場合を示しているが、同期信号が連続して検出できるようになると、ヒステリシス回路８０１は図９の状態２に移行し、３回連続して同期信号を検出できれば、制御信号ＣＳ３がアクティブである状態３に移行する。
【００５７】
状態３では、セレクタ５０３が、制御信号ＣＳ１がアクティブの期間は等化誤差信号ＥＥ２を、制御信号ＣＳ１がインアクティブの期間は等化誤差信号ＥＥ３（図１０（ｄ））を、等化誤差信号ＥＥ１として自動波形等化器５０１に出力する。等化誤差信号ＥＥ２と等化誤差信号ＥＥ３を切り替えて用いた波形等化処理を行うことで、再生状態の安定性が増す。
【００５８】
しかし、外乱や再生状態の劣化など再生状態が不安定になると同期信号の検出ができにくくなり、検出結果ＣＳ２がＮ回連続してインアクティブな（Ｎ回連続して同期信号を検出できない）場合、制御信号ＣＳ３がインアクティブな状態１になる。制御信号ＣＳ３がインアクティブになれば制御信号ＣＳ１の動作に基づき、トレーニングパターンの期間は、既知のトレーニングパターンを用いて算出した等化誤差信号ＥＥ２を等化誤差信号ＥＥ１として自動波形等化を行い、トレーニングパターン以外のユーザデータ期間は、ゼロデータを等化誤差信号ＥＥ１として自動波形等化を行う。
【００５９】
一方、Ｎ回以下の間隔で同期信号が検出できた場合は、制御信号ＣＳ３をアクティブの状態のままにしておき、等化誤差信号ＥＥ２と等化誤差信号ＥＥ３を切り替えて用いた波形等化処理を行う（図示せず）。
【００６０】
このように状態遷移を考慮し、選択された等化誤差信号ＥＥ１を用いて自動波形等化処理を行うことで、一度同期信号が連続して検出され、状態３に移行すると外乱や再生状態の変化に対して頻繁に状態１に移行することなく、更なる安定性と収束性を確保するように機能させることができる。
【００６１】
よって、本実施形態によれば、トレーニングパターン内だけの自動波形等化ではなく、ユーザデータ内でも自動波形等化を実現すると共に、同期信号の検出結果ＣＳ２に対しヒステリシス特性を持たせた制御信号ＣＳ３や制御信号ＣＳ１を用いて、再生状態の変化に応じて自動等化処理を切り替えて行うことで、更なる安定性と収束性を確保し、常に最適な自動等化量を決定し、アイパターンが良好に開いた波形等化を実現することができ、エラーレートの劣化の改善を図ることが可能になる。
【００６２】
（第４実施形態）
図１１は、本発明の第４実施形態による情報再生装置の一構成例を示すブロック図である。なお、図１１において、図１に示す構成要素と同一の要素には同一符号を付し、その説明は省略する。
【００６３】
図１１において、復号器１１０１は、検出データに対して符号化の逆の処理である復調処理を行い復号結果のデータ列を出力する。
【００６４】
誤り率演算部１１０２は、データ列に含まれる誤り率を演算し、演算した誤り率が一定値以上ならば、誤り結果ＣＳ２’（第２の制御信号）をインアクティブ状態にして出力し、誤り率が一定値未満ならば、誤り結果ＣＳ２’をアクティブ状態にして出力する。
【００６５】
セレクタ１１０３は、自動波形等化器５０１からの等化誤差信号ＥＥ２（第２の等化誤差信号）またはゼロデータと、最尤検出器１０３からの等化誤差信号ＥＥ３（第３の等化誤差信号）とを受け、制御信号ＣＳ１（第１の制御信号）と誤り結果ＣＳ２’（第２の制御信号）に基づいて、等化誤差信号ＥＥ２とゼロデータ、または等化誤差信号ＥＥ２と等化誤差信号ＥＥ３を等化誤差信号ＥＥ１（第１の等化誤差信号）として自動波形等化器５０１に出力する。
【００６６】
次に、以上のように構成された情報再生装置の動作について述べる。
【００６７】
まず、再生開始直後など、最尤検出器１０３の検出データに誤りが多いときは、誤り率演算部１１０２で演算される誤り率は一定値α以上あり、誤り結果ＣＳ２’はインアクティブ状態となる。この状態において、セレクタ１１０３は、制御信号ＣＳ１の動作に基づき、トレーニングパターン期間に相当する制御信号ＣＳ１がアクティブな期間は、既知のトレーニングパターンを用いて算出した等化誤差信号ＥＥ２を、トレーニングパターン以外のユーザデータ期間に相当する制御信号ＣＳ１がインアクティブな期間は、ゼロデータを自動波形等化器５０１に出力する。
【００６８】
次に、トレーニングパターンだけ用いた自動波形等化で自動波形等化器５０１がある程度収束すると、最尤検出器１０３の検出データにおける誤りも少なくなり、誤り率が一定値α未満になると、誤り率演算部１１０２の誤り結果ＣＳ２’がアクティブ状態になる。
【００６９】
その結果、セレクタ１１０３は、制御信号ＣＳ１がアクティブの期間は等化誤差信号ＥＥ２を選択し、制御信号ＣＳ１がインアクティブの期間は等化誤差信号ＥＥ３を選択して、等化誤差信号ＥＥ１として自動波形等化器５０１に出力する。
【００７０】
このように、等化誤差信号ＥＥ２とゼロデータ、または等化誤差信号ＥＥ２と等化誤差信号ＥＥ３を切り替えて用いた波形等化処理を行うことで、再生状態の安定性が増す。
【００７１】
よって、本実施形態によれば、トレーニングパターン内だけの自動波形等化ではなく、ユーザデータ内でも自動波形等化を実現すると共に、誤り率演算部による誤り結果ＣＳ２’や制御信号ＣＳ１を用いて、再生状態の変化に応じて自動等化処理を切り替えて行うことで、常に最適な自動等化量を決定し、アイパターンが良好に開いた波形等化を実現でき、エラーレートの劣化の改善を図ることが可能になる。
【００７２】
（第５実施形態）
図１２は、本発明の第５実施形態による情報再生装置の一構成例を示すブロック図である。なお、図１２において、図１、図５、および図１１に示す構成要素と同一の要素には同一符号を付し、その説明は省略する。
【００７３】
図１２において、ヒステリシス回路１２０３は、誤り率演算部１１０２の誤り結果ＣＳ２’（第２の制御信号）のアクティブ状態／インアクティブ状態の出現頻度を観測し、誤り結果ＣＳ２’に対してヒステリシス特性を与え、制御信号ＣＳ３’（第３の制御信号）として出力する。
【００７４】
セレクタ１１０３は、自動波形等化器５０１からの等化誤差信号ＥＥ２（第２の等化誤差信号）またはゼロデータと、最尤検出器１０３からの等化誤差信号ＥＥ３（第３の等化誤差信号）とを受け、制御信号ＣＳ１（第１の制御信号）と制御信号ＣＳ３’（第３の制御信号）の状態に基づいて、等化誤差信号ＥＥ２とゼロデータ、または等化誤差信号ＥＥ２と等化誤差信号ＥＥ３を、等化誤差信号ＥＥ１（第１の等化誤差信号）として自動波形等化器５０１に出力する。
【００７５】
次に、以上のように構成された情報再生装置の動作について述べる。
【００７６】
図１３に、ヒステリシス回路１２０３の動作の一例を示す状態遷移図を示す。
【００７７】
図１３において、ヒステリシス回路１２０３は、誤り率演算部１１０２による誤り結果ＣＳ２’に基づき、所定の間隔で誤り結果ＣＳ２’のアクティブ状態／インアクティブ状態を観測し、制御信号ＣＳ３’を生成する。例えば再生動作開始直後など、一定値α以上の誤り率の場合は、誤り結果ＣＳ２’はインアクティブ状態となり、制御信号ＣＳ３’はインアクティブ状態になる（状態１）。
【００７８】
波形等化処理やビタビ検出処理がある程度安定してくると、一定値α未満の誤り率が確保できるようになり、誤り結果ＣＳ２’がアクティブ状態になる。連続して誤り結果ＣＳ２’がアクティブ状態で出力されるようになり、Ｍ回連続して一定値α未満の誤り率が確保できた場合、制御信号ＣＳ３’をアクティブ状態にする（状態２）。
【００７９】
連続して一定値α未満の誤り率が確保できている場合は、制御信号ＣＳ３’をアクティブ状態のままにしておく（状態３）。
【００８０】
再生状態が不安定になるなどして一定値α未満の誤り率が確保できなくなると、誤り結果ＣＳ２’はインアクティブ状態になる。Ｎ回連続して一定値α以上の誤り率になる場合、制御信号ＣＳ３’をインアクティブ状態にする（状態４）。
【００８１】
しかし、Ｎ回以下の間隔で一定値α未満の誤り率が確保できた場合は、制御信号ＣＳ３’はアクティブの状態のままにしておく（状態３）。
【００８２】
図１４に、本実施形態における各部信号のタイミングチャートを示す。
【００８３】
図１４において、まず、再生信号（図１４（ａ））の再生開始直後など、最尤検出器１０３の検出データに誤りが多いときは、誤り率演算部１１０２で演算される誤り率（図１４（ｅ））は一定値α以上あり、誤り結果ＣＳ２’はインアクティブ状態となり、制御信号ＣＳ３’（図１４（ｆ））がインアクティブな状態１になる。このような状態１の時は、制御信号ＣＳ１（図１４（ｂ））の動作に基づき、トレーニングパターンの期間は、既知のトレーニングパターンを用いて算出した等化誤差信号ＥＥ２を等化誤差信号ＥＥ１として自動波形等化を行い、トレーニングパターン以外のユーザデータ期間は、ゼロデータを等化誤差信号ＥＥ１として自動波形等化を行う。（図１４（ｃ）に自動波形等化器５０１からセレクタ１１０３に供給される信号を、図１４（ｇ）に等化誤差信号ＥＥ１を示す。）
次に、状態１のトレーニングパターンだけ用いた自動波形等化で自動波形等化器５０１がある程度収束すると、最尤検出器１０３の検出データにおける誤りも少なくなり、誤り率が一定値α未満になると誤り結果ＣＳ２’がアクティブ状態になる。
【００８４】
図１４には図１３の状態２でＭ＝１の場合を示しているが、誤り結果ＣＳ２’が１回アクティブ状態になると、ヒステリシス回路１２０３は図１３の状態２に移行するとすぐ、制御信号ＣＳ３’がアクティブである状態３に移行する。
【００８５】
状態３では、セレクタ１１０３が、制御信号ＣＳ１がアクティブの期間は等化誤差信号ＥＥ２を等化誤差信号ＥＥ１として出力し、制御信号ＣＳ１がインアクティブの期間は等化誤差信号ＥＥ３（図１４（ｄ））を等化誤差信号ＥＥ１として出力する。このように、等化誤差信号ＥＥ２と等化誤差信号ＥＥ３を切り替えて用いた波形等化処理を行うことで、再生状態の安定性が増す。
【００８６】
しかし、外乱や再生状態の劣化など再生状態が不安定になると、誤り率演算部１１０２で演算した誤り率が悪化し、誤り結果ＣＳ２’がインアクティブ状態になる。誤り結果ＣＳ２’がＮ回連続してインアクティブ（Ｎ回連続して誤り率が一定値α以上）である場合は、制御信号ＣＳ３’がインアクティブな状態１になる。制御信号ＣＳ３’がインアクティブ状態になれば制御信号ＣＳ１の動作に基づき、トレーニングパターンの期間は、既知のトレーニングパターンを用いて算出した等化誤差信号ＥＥ２を等化誤差信号ＥＥ１として自動波形等化を行い、トレーニングパターン以外のユーザデータ期間は、ゼロデータを等化誤差信号ＥＥ１として自動波形等化を行う。
【００８７】
一方、Ｎ回以下の間隔で一定値α未満の誤り率を確保でき、よって誤り結果ＣＳ２’がアクティブ状態になった場合は、制御信号ＣＳ３’をアクティブの状態のままにしておき、等化誤差信号ＥＥ２と等化誤差信号ＥＥ３を切り替えて用いた波形等化処理を行う（図示せず）。
【００８８】
このように状態遷移を考慮し、選択された等化誤差信号ＥＥ１を用いて自動波形等化処理を行うことで、一度一定値α未満の誤り率が連続して検出され、状態３に移行すると、外乱や再生状態の変化に対して頻繁に状態１に移行することなく、更なる安定性と収束性を確保するように機能させることができる。
【００８９】
よって、本実施形態によれば、トレーニングパターン内だけの自動波形等化ではなく、ユーザデータ内でも自動波形等化を実現すると共に、誤り率演算部１１０２による誤り結果ＣＳ２’に対しヒステリシス特性を持たせた制御信号ＣＳ３’や制御信号ＣＳ１を用いて、再生状態の変化に応じて自動等化処理を切り替えて行うことで、更なる安定性と収束性を確保し、常に最適な自動等化量を決定し、アイパターンが良好に開いた波形等化を実現でき、エラーレートの劣化の改善を図ることが可能になる。
【００９０】
なお、図１３および図１４において、制御信号ＣＳ３’のアクティブ状態／インアクティブ状態の切替を特定の一定値αで動作するように説明したが、学習的にその一定値を変動させたり、状態１もしくは状態３の一定値をβ（≠α）とすることで、早く自動波形等化器を収束させたり、安定性の更なる向上を実現することも可能である。
【００９１】
なお、上記第１から第５実施形態では、自動波形等化器は、最小自乗法に基づく波形等化処理を行うものとして説明したが、その他のゼロフォーシング等の構成による自動波形等化器でも同様に実施可能である。
【００９２】
また、上記第１から第５実施形態では、最尤検出器１０３の一例としてビタビ検出器３０１で構成した例を示したが、ビタビ検出器以外の最尤検出器でも同様に実施可能である。
【００９３】
【発明の効果】
以上説明したように、本発明によれば、トレーニングパターン内だけの自動波形等化ではなく、ユーザデータ内でも自動波形等化処理を実現することができ、常に最適な自動等化量を決定し、アイパターンが良好に開いた波形等化を実現して、エラーレート劣化の改善を図った情報再生装置を提供することができる。
【００９４】
また、トレーニングパターン内とユーザデータ内の自動波形等化処理を実現すると共に、同期信号検出器の検出結果や誤り率演算部の誤り結果などを用いて自動波形等化処理を行うことで、再生状態の変化に応じて常に最適な自動等化量を決定し、アイパターンが良好に開いた波形等化を実現でき、エラーレート劣化の改善を図った情報再生装置を提供することができる。
【００９５】
さらに、トレーニングパターン内とユーザデータ内の自動波形等化処理を実現すると共に、同期信号検出器の検出結果や誤り率演算部の誤り結果などの検出信号に対しヒステリシス特性を持たせた制御信号に基づく自動波形等化処理を行うことで、常に最適な自動等化量を決定し、アイパターンが良好に開いた波形等化を実現して、再生状態の変化に緩やかに追従し安定性と収束性を確保することで、エラーレート劣化の更なる改善を図った情報再生装置を提供することができる。
【図面の簡単な説明】
【図１】  本発明の第１実施形態による情報再生装置の一構成例を示すブロック図
【図２】  図１に示す自動波形等化器１０２の一例を示すブロック図
【図３】  図１に示す最尤検出器１０３の一例を示すブロック図
【図４】  図１に示すセレクタ１０４の動作例を示すタイミングチャート
【図５】  本発明の第２実施形態による情報再生装置の一構成例を示すブロック図
【図６】  図５に示す自動波形等化器５０１の一例を示すブロック図
【図７】  本発明の第２実施形態における各部信号のタイミングチャート
【図８】  本発明の第３実施形態による情報再生装置の一構成例を示すブロック図
【図９】  図８に示すヒステリシス回路８０１の状態遷移図
【図１０】  本発明の第３実施形態における各部信号のタイミングチャート
【図１１】  本発明の第４実施形態による情報再生装置の一構成例を示すブロック図
【図１２】  本発明の第５実施形態による情報再生装置の一構成例を示すブロック図
【図１３】  図１２に示すヒステリシス回路１２０３の状態遷移図
【図１４】  本発明の第５実施形態における各部信号のタイミングチャート
【図１５】  従来の情報再生装置の構成を示すブロック図
【符号の説明】
１０１  再生回路
１０２、５０１、１５０１  自動波形等化器
１０３、１５０２  最尤検出器
１０４、５０３、１１０３  セレクタ
２０１  トランスバーサルフィルタ
２０２  更新係数演算回路
２０３  第１の基準データ作成回路
２０４、６０４  第１の等化誤差算出回路
３０１  ビタビ検出器
３０２  遅延素子群
３０３  第２の基準データ作成回路
３０４  第２の等化誤差算出回路
５０２  同期信号検出器
８０１、１２０３  ヒステリシス回路
１１０１  復号器
１１０２  誤り率演算部
１５０３  制御部
【図１】
0003782287.tif 000002
【図２】
0003782287.tif 000003
【図３】
0003782287.tif 000004
【図４】
0003782287.tif 000005
【図５】
0003782287.tif 000006
【図６】
0003782287.tif 000007
【図７】
0003782287.tif 000008
【図８】
0003782287.tif 000009
【図９】
0003782287.tif 000010
【図１０】
0003782287.tif 000011
【図１１】
0003782287.tif 000012
【図１２】
0003782287.tif 000013
【図１３】
0003782287.tif 000014
【図１４】
0003782287.tif 000015
【図１５】
0003782287.tif 000016